(57)【要約】【課題】１本のガス容器のみが接続されており、この１本のガス容器からのガスの供給不足が生じても、ガス容器が接続されておらず開放されている他のガス入口からのガス漏れの発生を無くす。【解決手段】被操作部７が前記第３のポジションをとっているときには、ガス切り換え部５によって、第１のガス入口１５が遮断され、第２のガス入口１７が遮断され、第３のガス容器から前記ガス流路１３にガスが供給されこの供給されたガスがガス出口２１から吐出されように構成されているガス切り換え装置１である。【選択図】図１
2020026824.tif 000002
【特許請求の範囲】
【請求項１】
ガス流路が設けられている筐体と、
前記筐体に設けられ、前記ガス流路でのガスの流れ方を切り換えるガス切り換え部と、
前記ガス流路と通じるように前記筐体に設けられ、第１のガス容器が接続される第１のガス入口と、
前記ガス流路と通じるように前記筐体に設けられ、第２のガス容器が接続される第２のガス入口と、
前記ガス流路と通じるように前記筐体に設けられ、第３のガス容器が接続される第３のガス入口と、
前記ガス流路と通じるように前記筐体に設けられ、ガス器具が接続されるガス出口と、
前記筐体に設けられ、第１のポジション、第２のポジション、第３のポジションのうちのいずれかのポジションをとる被操作部と、
を有し、
前記被操作部が前記第１のポジションをとっているときには、前記ガス切り換え部によって、前記第３のガス入口が遮断され前記第１のガス容器から前記ガス流路にガスが供給されこの供給されたガスが前記ガス出口から吐出され、前記第１のガス容器から供給されるガスの圧力が所定の値よりも小さくなったときには、前記第２のガス容器から前記ガス流路にガスが供給されこの供給されたガスが前記ガス出口から吐出され、また、前記被操作部が前記第３のポジションをとっているときには、前記ガス切り換え部によって、前記第１のガス入口が遮断され、前記第２のガス入口が遮断され、前記第３のガス容器から前記ガス流路にガスが供給されこの供給されたガスが前記ガス出口から吐出されように構成されていることを特徴とするガス切り換え装置。
【請求項２】
請求項１に記載のガス切り換え装置であって、
前記ガス切り換え部は、前記ガス流路内のガス圧に応じてポジションを変えるとともに前記被操作部のポジションに応じてポジションを変えるカムの動節と、前記第１のガス入口を開閉する第１のガス入口開閉部と、前記第２のガス入口を開閉する第２のガス入口開閉部と、前記第３のガス入口を開閉する第３のガス入口開閉部とを備えて構成されており、
前記第１のガス入口開閉部は、前記カムの動節に接触して動くことで前記第１のガス入口を開く第１のカム従動節を備えて構成されており、
前記第２のガス入口開閉部は、前記カムの動節に接触して動くことで前記第２のガス入口を開く第２のカム従動節を備えて構成されており、
前記第３のガス入口開閉部は、前記カムの動節に接触して動くことで前記第３のガス入口を開く第３のカム従動節を備えて構成されており、
前記被操作部が前記第１のポジションをとっているとき、または、前記被操作部が前記第２のポジションをとっているときには、前記カムの動節の、前記ガス流路内のガス圧によるポジションにかかわらず、前記カムの動節と前記第３のカム従動節とがお互いに非接触状態になっていることで、前記第３のガス入口が遮断されるように構成されており、
前記被操作部が前記第３のポジションをとっているときには、前記カムの動節の、前記ガス流路内のガス圧によるポジションにかかわらず、前記カムの動節と前記第１のカム従動節とがお互いに非接触状態になっていることで前記第１のガス入口が遮断され、さらに、前記カムの動節と前記第２のカム従動節とがお互いに非接触状態になっていることで前記第２のガス入口が遮断されるように構成されていることを特徴とするガス切り換え装置。
【請求項３】
請求項２に記載のガス切り換え装置であって、
前記ガス流路は、この一部がダイヤフラムによって形成されており、このダイヤフラムは、前記ガス流路内のガス圧と、前記ガス流路の外の大気圧との差圧に応じて変形するように構成されており、
前記カムの動節は、前記ダイヤフラムの中央部に設けられており、前記ガス流路内のガス圧の変動に応じて、前記カムの動節が直線的に移動してポジションを変えるように構成されており、
前記被操作部は、前記筐体に対して回動位置決めされることで、前記第１〜第３のポジションのうちのいずれかのポジションをとるように構成されており、
前記カムの動節は、前記被操作部の回動位置決めに応じて回動位置決めされてポジションを変えるように構成されており、
前記被操作部の回動中心軸の延伸方向で見たときに、前記第２のカム従動節は、前記被操作部の回動中心軸に対して、前記第１のカム従動節は点対称のところに位置しており、
前記被操作部の回動中心軸の延伸方向で見たときに、前記第３のカム従動節は、前記被操作部の回動中心軸まわりで前記第１のカム従動節を９０°回動したところに位置しており、
前記被操作部が前記第１のポジションもしくは前記第２のポジションをとっているときには、前記ダイヤフラムの変形による前記カムの動節の移動によって、前記第１のカム従動節と前記第２のカム従動節とが、前記被操作部の回動中心軸と交差する方向に移動するように構成されており、
前記被操作部が前記第３のポジションをとっているときには、前記ダイヤフラムの変形による前記カムの動節の移動によって、前記第３のカム従動節が、前記被操作部の回動中心軸と交差する方向に移動するように構成されていることを特徴とするガス切り換え装置。
【請求項４】
請求項３に記載のガス切り換え装置であって、
前記被操作部が前記第１のポジションをとっているときには、前記ガス流路内のガス圧が下がりダイヤフラムの中央部がガス流路の体積を減少する側に移動することによる前記カムの動節の移動により、前記第１のカム従動節が前記カムの動節に押されて前記被操作部の回動中心軸から離れる方向に移動することで、前記第１のガス入口が開くように構成されており、
また、前記被操作部が前記第１のポジションをとっているときには、前記ガス流路内のガス圧が下がりダイヤフラムの中央部がガス流路の体積を減少する側にさらに移動することによる前記カムの動節の移動により、前記第２のカム従動節が前記カムの動節に押されて前記被操作部の回動中心軸から離れる方向に移動することで、前記第２のガス入口が開くように構成されており、
前記被操作部が前記第３のポジションをとっているときには、前記ガス流路内のガス圧が下がりダイヤフラムの中央部がガス流路の体積を減少する側に移動することによる前記カムの動節の移動により、前記第３のカム従動節が前記カムの動節に押されて前記被操作部の回動中心軸から離れる方向に移動することで、前記第３のガス入口が開くように構成されていることを特徴とするガス切り換え装置。
【請求項５】
請求項１〜請求項４のいずれか１項に記載のガス切り換え装置であって、
前記被操作部がとっているポジションを保持するための被操作部ポジション保持部を有することを特徴とするガス切り換え装置。
【請求項６】
ガス流路が設けられている筐体と、
前記筐体に設けられ、前記ガス流路でのガスの流れ方を切り換えるガス切り換え部と、
前記ガス流路と通じるように前記筐体に設けられている複数のガス入口と、
前記筐体に設けられ、前記複数のガス入口の数に応じた複数のポジションのうちのいずれかのポジションをとる被操作部と、
を有し、前記被操作部が前記複数のポジションのうちの所定の１のポジションをとっているときには、前記ガス切り換え部によって、前記複数のガス入口のうちの所定の１つのガス入口を除く他の複数のガス入口が遮断され、前記被操作部が前記所定の１のポジション以外の複数のポジションのうちのいずれかのポジションをとっているときには、前記所定の１つのガス入口が遮断されるように構成されていることを特徴とするガス切り換装置。
【発明の詳細な説明】
【技術分野】
【０００１】
本発明は、ガス切り換え装置に係り、特に、使用側のガス容器がガス供給力不足になったときに予備側のガス容器から自動的にガスの供給がされるものに関する。
【背景技術】
【０００２】
従来、図１１に示すように、使用側のガス容器が接続されるガス入口３０１と、予備側のガス容器が接続されるガス入口３０３と、ガスを消費するガス器具が接続されるガス出口３０５とを備えているガス切り換え装置３０７が知られている（たとえば、特許文献１参照）。
【０００３】
従来のガス切り換え装置３０７は、使用側のガス容器と予備側のガス容器が接続されている状態で、切り換えハンドル３０９を使用側もしくは予備側に切り換えることで、ガス器具で使用するガスを、いずれのガス容器から供給されるものにするかを切り換えることができる。
【０００４】
図１１で示す切り換えハンドル３０９のポジションでは、ガス器具で使用するガスが、ガス入口３０１に接続されている使用側のガス容器から供給されるようになっている。
【０００５】
また、切り換えハンドル３０９のポジションが図１１で示すポジションのままでも、ガス入口３０１に接続されている使用側のガス容器内のガスが消費され使用側のガス容器からのガスの供給不足が生じたときに、ガスの供給を停止させることなく、自動的に、ガス入口３０３に接続されている予備側のガス容器からガスが供給されるようになっている。
【先行技術文献】
【特許文献】
【０００６】
【特許文献１】特開２００６−４６３７１号公報
【発明の概要】
【発明が解決しようとする課題】
【０００７】
ところで、従来のガス切り換え装置３０７には、２本のガス容器が接続されるようになっているが、１本ガス容器のみが接続されて、従来のガス切り換え装置３０７が使用される場合もある。
【０００８】
ここで、他方のガス入口（たとえばガス入口３０３）にガス容器が接続されておらず、止め栓等がされていないことによって他方のガス入口（たとえばガス入口３０３）が開放されており、一方のガス入口（たとえばガス入口３０１）にしかガス容器が接続されていない状態を想定する。
【０００９】
この想定された状態で、ガス入口３０１に接続されているガス容器内のガスが消費され、ガス容器のガスの供給不足が発生したときにおける、開放されているガス入口３０３からのガス漏れの発生を無くすことが重要である。
【００１０】
本発明は、一方のガス入口に接続されている一方のガス容器からのガスの供給不足が発生しても、ガスの供給を停止させることなく、自動的に、他方のガス入口に接続されている他方のガス容器からガスが供給されるように構成されているガス切り換え装置であって、１本のガス容器のみが接続されており、この１本のガス容器からのガスの供給不足が生じても、ガス容器が接続されておらず開放されている他のガス入口からのガス漏れの発生を無くすことができるガス切り換え装置を提供することを目的とする。
【課題を解決するための手段】
【００１１】
本発明は、ガス流路が設けられている筐体と、前記筐体に設けられ、前記ガス流路でのガスの流れ方を切り換えるガス切り換え部と、前記ガス流路と通じるように前記筐体に設けられ、第１のガス容器が接続される第１のガス入口と、前記ガス流路と通じるように前記筐体に設けられ、第２のガス容器が接続される第２のガス入口と、前記ガス流路と通じるように前記筐体に設けられ、第３のガス容器が接続される第３のガス入口と、前記ガス流路と通じるように前記筐体に設けられ、ガス器具が接続されるガス出口と、前記筐体に設けられ、第１のポジション、第２のポジション、第３のポジションのうちのいずれかのポジションをとる被操作部とを有し、前記被操作部が前記第１のポジションをとっているときには、前記ガス切り換え部によって、前記第３のガス入口が遮断され前記第１のガス容器から前記ガス流路にガスが供給されこの供給されたガスが前記ガス出口から吐出され、前記第１のガス容器から供給されるガスの圧力が所定の値よりも小さくなったときには、前記第２のガス容器から前記ガス流路にガスが供給されこの供給されたガスが前記ガス出口から吐出され、また、前記被操作部が前記第３のポジションをとっているときには、前記ガス切り換え部によって、前記第１のガス入口が遮断され、前記第２のガス入口が遮断され、前記第３のガス容器から前記ガス流路にガスが供給されこの供給されたガスが前記ガス出口から吐出されように構成されているガス切り換え装置である。
【発明の効果】
【００１２】
本発明によれば、一方のガス入口に接続されている一方のガス容器からのガスの供給不足が発生しても、ガスの供給を停止させることなく、自動的に、他方のガス入口に接続されている他方のガス容器からガスが供給されるように構成されているガス切り換え装置であって、１本のガス容器のみが接続されており、この１本のガス容器からのガスの供給不足が生じても、ガス容器が接続されておらず開放されている他のガス入口からのガス漏れの発生を無くすことができるという効果を奏する。
【図面の簡単な説明】
【００１３】
【図１】本発明の実施形態に係るガス切り換え装置の概略構成を示す断面図である。
【図２】図１におけるＩＩ矢視図である。
【図３】本発明の実施形態に係るガス切り換え装置に設けられているガス切り換え部の主要部の概略構成を示す図であって、（ａ）は（ｃ）におけるＩＩＩＡ矢視図であり、（ｂ）は（ｃ）におけるＩＩＩＢ−ＩＩＩＢ断面を示す図である。
【図４】図３に示すガス切り換え部の主要部の動作を示す図であって、（ａ）は（ｂ）におけるＩＶＡ−ＩＶＡ断面を示す図である。
【図５】図３に示すガス切り換え部の主要部の動作を示す図であって、（ａ）は（ｂ）におけるＶＡ−ＶＡ断面を示す図である。
【図６】図３（ｃ）に示すガス切り換え部の主要部の動作を示す図である。
【図７】図３（ｃ）に示すガス切り換え部の主要部の動作を示す図である。
【図８】本発明の実施形態に係るガス切り換え装置の筐体の上側ケース体を示す図であって、（ａ）は（ｂ）におけるＶＩＩＩＡ−ＶＩＩＩＡ断面を示す図である。
【図９】本発明の実施形態に係るガス切り換え装置に設けられている被操作部ポジション保持部の概略構成を示す図である。
【図１０】図９で示す被操作部ポジション保持部の動作を示す図である。
【図１１】従来のガス切り換え装置を示す図である。
【発明を実施するための形態】
【００１４】
本発明の実施形態に係るガス切り換え装置（ガス切換器；ガス自動切替調整器）１は、特開２００６−４６３７１号公報で示すガス自動切替調整器と同様にして、複数本のガス容器（たとえばＬＰガス容器；ＬＰガスボンベ）が接続され、これらのガス容器から供給されたガスをガス器具に供給するものである。ただし、特開２００６−４６３７１号公報で示すガス自動切替調整器には、２本のガス容器しか接続されないようになっているが、本発明の実施形態に係るガス切り換え装置１には、３本のガス容器が接続されるようになっている。
【００１５】
ガス切り換え装置１は、図１、図２で示すように、特開２００６−４６３７１号公報で示すガス自動切替調整器とほぼ同様に構成さいる筐体（ケース）３と、ガス切り換え部（ガス切り換え機構）５と、被操作部（切り換えレバー；切換ハンドル）７とを備えている。
【００１６】
ここで、説明の便宜のために、ガス切り換え装置１における所定の一方向を横方向とし、この横方向に対して直交する所定の一方向を縦方向とし、横方向と縦方向とに対して直交する方向を上下方向とする。
【００１７】
筐体３は上側ケース体９と下側ケース体１１とを備えて構成されており、筐体３の内側にはガス流路（中圧室）１３が設けられている。ガス切り換え部５は、筐体３に設けられており、筐体３内のガス流路１３でのガスの流れ方を切り換えるようになっている。
【００１８】
また、筐体３（下側ケース体１１）には、筐体３内のガス流路１３と通じるようにして、第１のガス入口１５と第２のガス入口１７と第３のガス入口１９とガス出口２１とが設けられている。
【００１９】
第１のガス入口１５には、図示しない第１のガス容器が接続されるようになっており、第２のガス入口１７には、図示しない第２のガス容器が接続されるようになっており、第３のガス入口１９には、図示しない第３のガス容器が接続されるようになっている。ガス出口２１には、図示しないガス器具等が接続されるようになっている。
【００２０】
なお、第１のガス入口１５と第２のガス入口１７と第３のガス入口１９とガス出口２１とはお互いが離れて筐体３に設けられている。
【００２１】
被操作部７は、筐体３の外部に設けられている。被操作部７は、人に操作されることによってたとえば回動し、第１のポジション（第１の回動ポジション）、第２のポジション（第２の回動ポジション）、第３のポジション（第３の回動ポジション）のうちのいずれかのポジションをとるようになっている。
【００２２】
ここで、第１のガス入口１５に第１のガス容器が接続されており、第２のガス入口１７に第２のガス容器が接続されており、第３のガス入口１９にはガス容器が非接続になっている状態で、被操作部７が第１のポジション（図２に示すポジション）をとっているときを、第１のポジション状態とする。
【００２３】
第１のポジション状態では、ガス切り換え部５によって、第３のガス入口１９が遮断されるようになっている。すなわち、第３のガス入口１９存在しているにもかかわらず、ガスの通過ができないように第３のガス入口１９が閉じられ、筐体３内のガス流路１３が筐体３の外部と遮断され続けるようになっている。
【００２４】
また、第１のポジション状態において、第１のガス容器から供給されるガスの圧力（第１のガス容器内のガス圧力）が所定の値以上の値になっており、第２のガス容器から供給されるガスの圧力（第２のガス容器内のガス圧力）が所定の値以上の値になっているときには、ガス切り換え部５によって、まず、第１のガス容器から筐体３内のガス流路１３にガスが供給されこの供給されたガスがガス出口２１から吐出されるようになっている。
【００２５】
また、第１のポジション状態において、第１のガス容器から供給されるガスの圧力が所定の値よりも小さくなったときには（第１のガス容器から供給されるガスの圧力が所定の値よりも小さくなり、一方、第２のガス容器から供給されるガスの圧力が所定の値以上の値になっているときには）、ガス切り換え部５によって、自動的に、第２のガス容器から筐体３内のガス流路１３にガスが供給されこの供給されたガスがガス出口２１から吐出されるようになっている。
【００２６】
いずれにしても、被操作部７が第１のポジションをとっているときには、第１のガス容器のガス圧および第２のガス容器のガス圧にかかわらず、第３のガス入口１９に止め栓がされていなくても、第３のガス入口１９が遮断されるように構成されている。
【００２７】
また、ここで、第１のガス入口に第１のガス容器が接続されており、第２のガス入口に第２のガス容器が接続されており、第３のガス入口にはガス容器が非接続になっており、被操作部７が第２のポジション（図２に示すポジションから中心軸Ｃ１を回動中心にして１８０°回動したポジション）をとっているときを、第２のポジション状態とする。
【００２８】
第２のポジション状態でも、第１のポジション状態と同様にして、ガス切り換え部５によって、第３のガス入口１９が遮断されるようになっている。
【００２９】
また、第２のポジション状態において、第１のガス容器から供給されるガスの圧力が所定の値以上の値になっており、第２のガス容器から供給されるガスの圧力が所定の値以上の値になっているときには、ガス切り換え部５によって、まず、第２のガス容器から筐体３内のガス流路１３にガスが供給されこの供給されたガスがガス出口２１から吐出されるようになっている。
【００３０】
また、第２のポジション状態において、第２のガス容器から供給されるガスの圧力が所定の値よりも小さくなったときには、ガス切り換え部５によって、自動的に、第１のガス容器から筐体３内のガス流路１３にガスが供給されこの供給されたガスがガス出口２１から吐出されるようになっている。
【００３１】
いずれにしても、被操作部７が第２のポジションをとっているときにも、第１のポジション状態と同様にして、第１のガス容器のガス圧および第２のガス容器のガス圧にかかわらず、第３のガス入口１９に止め栓がされていなくても、第３のガス入口１９が遮断されるように構成されている。
【００３２】
また、ここで、第３のガス入口１９に第３のガス容器が接続されており、第１のガス入口１５にはガス容器が非接続になっており、第２のガス入口１７にもガス容器が非接続になっている状態で、被操作部７が前記第３のポジション（図２に示すポジションから中心軸Ｃ１を回動中心にして反時計まわりに９０°回動したポジション）をとっているときを、第３のポジション状態とする。
【００３３】
第３のポジション状態では、ガス切り換え部５によって、第１のガス入口１５が遮断され、第２のガス入口１７が遮断されるようになっている。
【００３４】
また、第３のポジション状態において、第３のガス容器から供給されるガスの圧力（第３のガス容器内のガス圧力）が所定の値以上の値になっているときには、ガス切り換え部５によって、第３のガス容器から筐体内３のガス流路１３にガスが供給されこの供給されたガスがガス出口２１から吐出されようになっている。
【００３５】
いずれにしても、被操作部７が第３のポジションをとっているときには、第３のガス容器のガス圧にかかわらず、第１のガス入口１５と第２のガス入口１７との双方に止め栓がされていなくても、第１のガス入口と第２のガス入口とが遮断されるようになっている。
【００３６】
ここで、ガス切り換え部５について詳しく説明する。
【００３７】
ガス切り換え部５は、図１、図３等で示すように、カムの動節２３と第１のガス入口開閉部２５と第２のガス入口開閉部２７と第３のガス入口開閉部２９とを備えて構成されている。
【００３８】
カムの動節２３は、ガス流路１３内のガス圧に応じてポジション（たとえば上下方向での位置）を変えるとともに、被操作部７のポジションに応じてポジション（たとえば被操作部７のポジションと同じ回動位置決め）を変えるようになっている。カムの動節２３は、２種類の態様でポジションを変えるようになっている。
【００３９】
第１のガス入口開閉部２５は、第１のガス入口１５を開閉するようになっている。さらに説明すると、第１のガス入口開閉部２５は、第１のカム従動節（第１の弁棒）３１を備えて構成されており、第１のカム従動節３１がカムの動節２３に接触し押されてたとえば直線的に動くことで第１のガス入口１５を開くようになっている。
【００４０】
なお、第１のカム従動節３１が、カムの動節２３に非接触であったり、接触していても第１のガス入口１５を閉じているデフォルトの位置にあるときには、第１のガス入口１５が閉じられている。
【００４１】
第２のガス入口開閉部２７も、第１のガス入口開閉部２５と同様にして、第２のガス入口１７を開閉するようになっている。すなわち、第２のガス入口開閉部２７は、第２のカム従動節（第２の弁棒）３３を備えて構成されており、第２のカム従動節３３がカムの動節２３に接触し押されてたとえば直線的に動くことで第２のガス入口１７を開くようになっている。
【００４２】
また、第１のガス入口開閉部２５と同様にして、第２のカム従動節３３が、カムの動節２３に非接触であったり、接触していても第２のガス入口１７を閉じているデフォルトの位置にあるときには、第２のガス入口１７が閉じられている。
【００４３】
第３のガス入口開閉部２９も、第１のガス入口開閉部２５と同様にして、第３のガス入口１９を開閉するようになっている。すなわち、第３のガス入口開閉部２９は、第３のカム従動節（第３の弁棒）３５を備えて構成されており、第３のカム従動節３５がカムの動節２３に接触し押されてたとえば直線的に動くことで第３のガス入口１９を開くようになっている。
【００４４】
また、第１のガス入口開閉部２５と同様にして、第３のカム従動節３５が、カムの動節２３に非接触であったり、接触していても第３のガス入口１９を閉じているデフォルトの位置にあるときには、第３のガス入口１９が閉じられている。
【００４５】
ガス切り換え装置１では、被操作部７が第１のポジションをとっているとき、または、被操作部７が前記第２のポジションをとっているとき、カムの動節２３の、ガス流路１３内のガス圧によるポジションの変化（上下方向での変化）にかかわらず、カムの動節２３と第３のカム従動節３５とがお互いに常に非接触状態になっていることで、第３のガス入口１９が遮断されるように構成されている。
【００４６】
ガス切り換え装置１では、被操作部７が第３のポジションをとっているとき、カムの動節２３のポジションの、ガス流路１３内のガス圧による変化（上下方向での変化）にかかわらず、カムの動節２３と第１のカム従動節３１とがお互いに常に非接触状態になっていることで第１のガス入口１５が遮断されように構成されている。
【００４７】
また、ガス切り換え装置１では、被操作部７が第３のポジションをとっているとき、カムの動節２３の、ガス流路１３内のガス圧によるポジションの変化（上下方向での変化）にかかわらず、カムの動節２３と第２のカム従動節３３とがお互いに常に非接触状態になっていることで第２のガス入口１７が遮断されように構成されている。
【００４８】
第１のポジション状態において、第１のガス容器から供給されるガスの圧力が所定の値以上の値になっているときには、カムの動節２３が第１のカム従動節３１に接触して第１のカム従動節３１が動き、第１のガス入口１５が開き、第１のガス容器からガス流路１３内にガスが入り、このガス流路１３内に入ったガスがガス出口２１から吐出されるようになっている。
【００４９】
また、第１のポジション状態において、第１のガス容器から供給されるガスの圧力が所定の値よりも小さくなったときには、カムの動節２３がまず第２のカム従動節３３に接触して第２のカム従動節３３が動き、第２のガス入口１７が開き、第２のガス容器からガス流路１３内にガスが入り、このガス流路１３内に入ったガスがガス出口２１から吐出されるようになっている。
【００５０】
また、第２のポジション状態において、第２のガス容器から供給されるガスの圧力が所定の値以上の値になっているときには、カムの動節２３が第２のカム従動節３３に接触して第２のカム従動節３３が動き、第２のガス入口１７が開き、第２のガス容器からガス流路１３内にガスが入り、このガス流路１３内に入ったガスがガス出口から吐出されるようになっている。
【００５１】
また、第２のポジション状態において、第２のガス容器から供給されるガスの圧力が所定の値よりも小さくなったときには、カムの動節２３がまず第１のカム従動節３１に接触して第１のカム従動節３１が動き、第１のガス入口１５が開き、第１のガス容器からガス流路１３内にガスが入り、このガス流路１３内に入ったガスがガス出口２１から吐出されるようになっている。
【００５２】
さらに、第３のポジション状態において、第３のガス容器から供給されるガスの圧力が所定の値以上の値になっているときには、カムの動節２３が第３のカム従動節３５に接触して第３のカム従動節３５が動き、第３のガス入口１９が開き、第３のガス容器からガス流路１３内にガスが入り、このガス流路１３内に入ったガスがガス出口２１から吐出されるようになっている。
【００５３】
ところで、ガス切り換え装置１では、図１で示すように、筐体３内のガス流路１３の一部がダイヤフラム３７によって形成されている。すなわち、ガス流路１３の一部が、ダイヤフラム３７によって、ガス流路１３を形成している空間とガス流路１３外部の空間（大気圧の空間；たとえば、上側ケース体９とダイヤフラム３７とで形成されている空間）３９とに仕切られている。
【００５４】
ダイヤフラム３７は、ガス流路１３内のガス圧と、ガス流路１３の外（大気圧の空間３９）の大気圧との差圧に応じて主として中央部が変形するように構成されている。
【００５５】
ダイヤフラム３７の周囲が上側ケース体９と下側ケース体１１とよって挟まれていることで、ダイヤフラム３７の周囲が筐体３に固定されている。また、ダイヤフラム３７の下側には、ダイヤフラム３７と下側ケース体１１とによってガス流路１３が形成されている。
【００５６】
また、ガス切り換え装置１には、細長い円柱状の切り換え軸部材４１と上側軸受け部材４３と、弾性体（たとえば圧縮コイルバネ）４５と、下側軸受け部材４７とが設けられている。
【００５７】
細長い円柱状の切り換え軸部材４１の中心軸は、被操作部７の回動中心軸Ｃ１と一致しており、上下方向に延びている。軸受け部材４３は、上側ケース体９に対して中心軸Ｃ１を中心にして回動自在なように、上側ケース体９に支持されている。また、軸受け部材４３には、被操作部７が一体的に設けられている。
【００５８】
切り換え軸部材４１は、上側ケース体９に対して上下方向で移動自在なように、軸受け部材４３に支持されている。
【００５９】
これにより、切り換え軸部材４１は、筐体３に対して、中心軸Ｃ１を中心にして回動し、上下方向で移動するようになっている。さらに、切り換え軸部材４１は、筐体３に対して、他の形態での移動や回動や姿勢の変化はできないようになっている。
【００６０】
被操作部７は、筐体３に対して、中心軸Ｃ１を中心にして回動するようになっている。さらに、被操作部７は、筐体３に対して、他の形態での移動や回動や姿勢の変化はできないようになっている。
【００６１】
切り換え軸部材４１は、ダイヤフラム３７の中央部を貫通しており、切り換え軸部材４１の下端部４９は、ガス流路１３内に存在している。また、切り換え軸部材４１のダイヤフラム３７を貫通している部位は、下側軸受け部材４７を介してダイヤフラム３７に支持されている（ダイヤフラム３７の中央部に一体的に設けられている）。
【００６２】
下側軸受け部材４７は、ダイヤフラム３７の中央部でダイヤフラム３７に一体的にも設けられている。切り換え軸部材４１は、下側軸受け部材４７に対して、中心軸Ｃ１を中心にして回動自在になっているが、下側軸受け部材４７に対して、他の形態での移動や回動や姿勢の変化はできないようになっている。
【００６３】
そして、ガス切り換え部５が中心軸Ｃ１を中心にして回動すると、ガス切り換え部５といっしょに切り換え軸部材４１が回動し、下側軸受け部材４７が上下方向に移動すると、切り換え軸部材４１が下側軸受け部材４７といっしょに上下方向に移動するようになっている。ただし、すでに理解されるように、下側軸受け部材４７が上下方向に移動しても、ガス切り換え部５は、上下方向には移動しないようになっている。
【００６４】
圧縮コイルバネ４５は、上側ケース体９の内部で、切り換え軸部材４１が内側を通過するようにして、ダイヤフラム３７と上側ケース体９の上部との間に設けられており、ダイヤフラム３７の中央部を下側（ガス流路１３側）に付勢している。
【００６５】
ダイヤフラム３７の上側の空間３９は大気圧になっており、ダイヤフラム３７の下側の空間は、ガス流路１３になっている。そして、ガス流路１３のガス圧が高いときには、ガス流路１３のガス圧によって、ダイヤフラム３７の中央部と切り換え軸部材４１とが上側に移動し、ガス流路１３のガス圧が低いときには、大気圧と圧縮コイルバネ４５の付勢力によって、ダイヤフラム３７の中央部と切り換え軸部材４１とが下側に移動するようになっている。
【００６６】
また、ガス切り換え装置１には、図１で示すように、ガス容器の切換状態を示す表示機構５１が設けられている。表示機構５１は、切り換え軸部材４１が上方に位置している場合には、赤く着色された表示部５３が上方に位置し、切り換え軸部材４１が下方に移動した場合には、表示部５３が下方に移動して、この状態が、ガス切り換え部５ののぞき窓５５から見えるようになっている。
【００６７】
カムの動節２３は、上下方向で見て、ダイヤフラム３７の中央部に設けられており、ガス流路１３内に設けられている。カムの動節２３の上端部が切り換え軸部材４１の下端部と係合しており、カムの動節２３と切り換え軸部材４１とはお互いが一体化している。これにより、カムの動節２３は、被操作部７の回動によって中心軸Ｃ１を中心にして回動してポジションを変えるとともに、切り換え軸部材４１の上下方向の移動によって、上下方向に移動してポジションを変えるようになっている。
【００６８】
被操作部７の回動中心軸Ｃ１の延伸方向（カムの動節２３の移動方向；上下方向）で見ると、図２で示すように（図１も併せて参照）、第２のガス入口１７と第２のカム従動節３３とは、被操作部７の回動中心軸Ｃ１に対して、第１のガス入口１５と第１のカム従動節３１とは点対称のところに位置している。
【００６９】
また、被操作部７の回動中心軸Ｃ１の延伸方向で見ると、図２で示すように、第３のガス入口１９と第３のカム従動節３５（図２では図示せず）とは、被操作部７の回動中心軸まわりで第１のガス入口１５や第１のカム従動節３１を９０°回動したところに位置している。
【００７０】
なお、たとえば、第１のガス入口１５の中心軸と第１のカム従動節３１の中心軸とは、お互いが一致しており、第２のガス入口１７の中心軸と第２のカム従動節３３の中心軸とは、お互いが一致しており、第３のガス入口１９の中心軸と第３のカム従動節３５の中心軸とは、お互いが一致している。
【００７１】
被操作部７が第１のポジションもしくは第２のポジションをとっているときには、図３、図４、図５、図７で示すように、ダイヤフラム３７の変形によるカムの動節２３の上下方向での移動によって、第１のカム従動節３１と第２のカム従動節３３とが、カムの動節２３に接触しつつ押されて移動するように構成されている。
【００７２】
カムの動節２３の押しによる第１のカム従動節３１や第２のカム従動節３３の移動方向は、被操作部７の回動中心軸Ｃ１と交差する方向であり、たとえば横方向であってカムの動節２３から離れる方向である。
【００７３】
一方、被操作部７が第１のポジションもしくは第２のポジションをとっているときには、第３カム従動節３５は、ダイヤフラム３７の変形によるカムの動節２３の上下方向の移動によっては、カムの動節２３に接触せず移動をしないように構成されている。
【００７４】
被操作部７が第３のポジションをとっているときには、ダイヤフラム３７の変形によるカムの動節２３の上下方向の移動によって、第３のカム従動節３５が、カムの動節２３に接触しつつ移動するように構成されている。
【００７５】
カムの動節２３の押しによる第３のカム従動節３５の移動方向は、被操作部７の回動中心軸Ｃ１と交差する方向であり、たとえば横方向であってカムの動節２３から離れる方向である。
【００７６】
一方、被操作部７が第３のポジションをとっているときには、図６で示すように、第１のカム従動節３１や第２のカム従動節３３は、ダイヤフラム３７の変形によるカムの動節２３の上下方向の移動によってはカムの動節２３に接触せず移動をしないように構成されている。
【００７７】
ところで、被操作部７が第１のポジションをとっているときのガス切り換え装置１では、ガス流路１３内のガス圧が下がりダイヤフラム３７の中央部がガス流路１３の体積を減少する側に移動することによるカムの動節２３の下側への移動により、第１のカム従動節３１がカムの動節２３に押されて被操作部７の回動中心軸Ｃ１から離れる方向に移動するようになっている。これにより、第１のガス入口１５が開き、第１のガス容器からガス流路１３へガスが供給されるようになっている。
【００７８】
一方、第１のガス容器からのガスの供給によってガス流路１３内のガス圧が上がると、ダイヤフラム３７の中央部がガス流路１３の体積を増やす側に移動することによるカムの動節２３の上側への移動によって、カムの動節２３による押圧力がなくなって、第１のカム従動節３１が被操作部７の回動中心軸Ｃ１に近づく方向に移動するようになっている。これにより、第１のガス入口１５が閉じるようになっている。
【００７９】
このような第１のガス入口１５の開閉によって、適宜の圧のガスが、第１のガス容器からガス流路１３に供給されるようになっている。
【００８０】
また、被操作部７が第１のポジションをとっているときのガス切り換え装置１では、第１のガス容器からガス流路１３へ供給されるガスの圧力が低下して、ガス流路１３内のガス圧が下がりダイヤフラム３７の中央部がガス流路１３の体積を減少する側にさらに移動することによるカムの動節２３の下側への移動により、第２のカム従動節３３がカムの動節２３に押されて被操作部７の回動中心軸Ｃ１から離れる方向に移動するようになっている。これにより、第２のガス入口１７が開き、第２のガス容器からガス流路１３へガスが供給されるようになっている。すなわち、ガス流路１３へのガスの供給元が、第１のガス容器から第２のガス容器に自動的な変更されるようになっている。
【００８１】
さらに、第２のガス容器からのガスの供給によってガス流路１３内のガス圧が上がると、ダイヤフラム３７の中央部がガス流路１３の体積を増やす側に移動することによるカムの動節２３の上側への移動によって、カムの動節２３による押圧力がなくなって、第２のカム従動節３３が被操作部７の回動中心軸Ｃ１に近づく方向に移動するようになっている。これにより、第２のガス入口１７が閉じるようになっている。
【００８２】
このような第２のガス入口１７の開閉によって、第１のガス容器のガス圧が低下しても、適宜の圧のガスが、第２のガス容器からガス流路１３に供給されるようになっている。
【００８３】
また、被操作部７が第１のポジションをとっているときと同様にして、被操作部７が第２のポジションをとっているときのガス切り換え装置１では、ガス流路１３内のガス圧が下がりダイヤフラム３７の中央部がガス流路１３の体積を減少する側に移動することによるカムの動節２３の下側への移動により、第２のカム従動節３３がカムの動節２３に押されて被操作部７の回動中心軸Ｃ１から離れる方向に移動するようになっている。これにより、第２のガス入口１７が開き、第２のガス容器からガス流路１３へガスが供給されるようになっている。
【００８４】
一方、第２のガス容器からのガスの供給によってガス流路１３内のガス圧が上がると、ダイヤフラム３７の中央部がガス流路１３の体積を増やす側に移動することによるカムの動節２３の上側への移動によって、カムの動節２３による押圧力がなくなって、第２のカム従動節３３が被操作部７の回動中心軸Ｃ１に近づく方向に移動するようになっている。これにより、第２のガス入口１７が閉じるようになっている。
【００８５】
このような第２のガス入口１７の開閉によって、適宜の圧のガスが、第２のガス容器からガス流路１３に供給されるようになっている。
【００８６】
また、被操作部７が第２のポジションをとっているときのガス切り換え装置１では、第２のガス容器からガス流路１３へ供給されるガスの圧力が低下して、ガス流路１３内のガス圧が下がりダイヤフラム３７の中央部がガス流路１３の体積を減少する側にさらに移動することによるカムの動節２３の下側への移動により、第１のカム従動節３１がカムの動節２３に押されて被操作部７の回動中心軸Ｃ１から離れる方向に移動するようになっている。これにより、第１のガス入口１５が開き、第２のガス容器からガス流路１３へガスが供給されるようになっている。すなわち、ガス流路１３へのガスの供給元が、第２のガス容器から第１のガス容器に自動的な変更されるようになっている。
【００８７】
さらに、第１のガス容器からのガスの供給によってガス流路１３内のガス圧が上がると、ダイヤフラム３７の中央部がガス流路１３の体積を増やす側に移動することによるカムの動節２３の上側への移動によって、カムの動節２３による押圧力がなくなって、第１のカム従動節３１が被操作部７の回動中心軸Ｃ１に近づく方向に移動するようになっている。これにより、第１のガス入口１５が閉じるようになっている。
【００８８】
このような第１のガス入口１５の開閉によって、第２のガス容器のガス圧が低下しても、適宜の圧のガスが、第１のガス容器からガス流路１３に供給されるようになっている。
【００８９】
また、被操作部７が第３のポジションをとっているときのガス切り換え装置１では、ガス流路１３内のガス圧が下がりダイヤフラム３７の中央部がガス流路１３の体積を減少する側に移動することによるカムの動節２３の移動により、第３のカム従動節３５がカムの動節２３に押されて被操作部７の回動中心軸Ｃ１から離れる方向に移動するようになっている。これにより、第３のガス入口１９が開き、第３のガス容器からガス流路１３へガスが供給されるようになっている。
【００９０】
一方、第３のガス容器からのガスの供給によってガス流路１３内のガス圧が上がると、ダイヤフラム３７の中央部がガス流路１３の体積を増やす側に移動することによるカムの動節２３の上側への移動によって、カムの動節２３による押圧力がなくなって、第３のカム従動節３５が被操作部７の回動中心軸Ｃ１に近づく方向に移動するようになっている。これにより、第３のガス入口１９が閉じるようになっている。
【００９１】
このような第３のガス入口１９の開閉によって、適宜の圧のガスが、第３のガス容器からガス流路１３に供給されるようになっている。
【００９２】
ここで、第１のガス入口開閉部２５について詳しく説明する。
【００９３】
第１のガス入口開閉部２５は、上述したように、ガス流路１３内のガス圧の変化によるカムの動節２３の上下方向での移動によって第１のカム従動節３１が横方向に移動することで、第１のガス入口１５を開閉するようになっている。
【００９４】
さらに説明すると、第１のカム従動節３１は、細長い円柱状に形成されており、第１のガス入口１５のところで、ガス流路１３内に設けられている。第１のカム従動節３１は、中心軸の延伸方向（長手方向）が横方向と一致するようにして、下側ケース体１１に支持されている。また、第１のカム従動節３１は、下側ケース体１１に対して横方向で移動自在になっている。第１のカム従動節３１のカムの動節２３と接する先端側の部位はたとえば先端部が半球状に形成されている。
【００９５】
第１のカム従動節３１は、弾性体（たとえば圧縮コイルバネ）５７によって、被操作部７の中心軸Ｃ１（カムの動節２３）に近づく側に付勢されている。そして、カムの動節２３に押されることで、圧縮コイルバネ５７が圧縮されるとともに、第１のカム従動節３１が被操作部７の中心軸Ｃ１から離れる側（図１では左側）に移動することで、弁体５８が弁座６０から離れ、第１のガス入口開閉部２５が開くようになっている。
【００９６】
一方、カムの動節２３による押し量が少なくなるにつれて、圧縮コイルバネ５７が次第に復元し、第１のカム従動節３１が圧縮コイルバネ５７で被操作部７の中心軸Ｃ１に近づく側（図１では右側）に押されて、弁体５８が弁座６０にくっつき、第１のガス入口開閉部２５が閉じるようになっている。
【００９７】
第２のガス入口開閉部２７や第３のガス入口開閉部２９は、第１のガス入口開閉部２５と同様に構成されている。
【００９８】
すなわち、第２のガス入口開閉部２７も、上述したように、ガス流路１３内のガス圧の変化によるカムの動節２３の上下方向での移動によって第２のカム従動節３３が横方向に移動することで、第２のガス入口１７を開閉するようになっている。
【００９９】
さらに説明すると、第２のカム従動節３３も、細長い円柱状に形成されており、第２のガス入口１７のところで、ガス流路１３内に設けられている。第２のカム従動節３３も、中心軸の延伸方向（長手方向）が横方向と一致するようにして、下側ケース体１１に支持されている。また、第２のカム従動節３３も、下側ケース体１１に対して横方向で移動自在になっている。
【０１００】
第２のカム従動節３３も、弾性体（たとえば圧縮コイルバネ）５７によって、被操作部７の中心軸Ｃ１（カムの動節２３）に近づく側に付勢されている。そして、カムの動節２３に押されることで、圧縮コイルバネ５７が圧縮されるとともに、第２のカム従動節３３が被操作部７の中心軸Ｃ１から離れる側（図１では右側）に移動することで、弁体５８が弁座６０から離れ、第２のガス入口開閉部２７が開くようになっている。
【０１０１】
一方、カムの動節２３による押し量が少なくなるにつれて、圧縮コイルバネ５７が次第に復元し、第２のカム従動節３３が圧縮コイルバネ５７で被操作部７の中心軸Ｃ１に近づく側（図１では左側）に押されて、弁体５８が弁座６０にくっつき、第２のガス入口開閉部２７が閉じるようになっている。
【０１０２】
第３のガス入口開閉部２９は、ガス流路１３内のガス圧の変化によるカムの動節２３の上下方向での移動によって第３のカム従動節３５が横方向でなく縦方向に移動することで、第３のガス入口１９を開閉するようになっている。
【０１０３】
さらに説明すると、第３のカム従動節３５も、細長い円柱状に形成されており、第３のガス入口１９のところで、ガス流路１３内に設けられている。第３のカム従動節３５は、中心軸の延伸方向（長手方向）が縦方向と一致するようにして、下側ケース体１１に支持されている。また、第３のカム従動節３５は、下側ケース体１１に対して縦方向で移動自在になっている。
【０１０４】
第３のカム従動節３５も、弾性体（たとえば圧縮コイルバネ）によって、被操作部７の中心軸Ｃ１（カムの動節２３）に近づく側に付勢されている。そして、カムの動節２３に押されることで、圧縮コイルバネが圧縮されるとともに、第３のカム従動節３５が被操作部７の中心軸Ｃ１から離れる側に移動することで、弁体が弁座から離れ、第３のガス入口開閉部２９が開くようになっている。
【０１０５】
一方、カムの動節２３による押し量が少なくなるにつれて、圧縮コイルバネが次第に復元し、第３のカム従動節３５が圧縮コイルバネで被操作部７の中心軸Ｃ１に近づく側に押されて、弁体５８が弁座６０にくっつき、第３のガス入口開閉部２９が閉じるようになっている。
【０１０６】
カムの動節２３は動節本体部５９と上側部位６１と下側部位６３とを備えて構成されている。各カム従動節３１、３３、３５は、動節本体部５９に接して押されるようになっている。上側部位６１と下側部位６３はたとえば外径がお互いに等しい円柱状に形成されている。なお、上側部位６１の円柱の高さ寸法の値は、下側部位６３の円柱の高さ寸法の値よりも大きくなっている。
【０１０７】
動節本体部５９は円錐台状に形成されている。円錐台状の動節本体部５９の円形状の上面（図１では下側に位置している面）の外径寸法の値は、上側部位６１や下側部位６３の外径寸法の値と等しくなっている。
【０１０８】
円錐台状の動節本体部５９の円形状の底面（図１では上側に位置している面）の外径寸法の値は、円形状の上面の外径寸法の値よりも大きくなっている。また、円錐台状の動節本体部５９の斜面は、上面や底面に対して４５°程度の傾斜角度で傾いている。
【０１０９】
動節本体部５９の中心軸と上側部位６１の中心軸と下側部位６３の中心軸とはお互いが一致しており、上側部位６１と動節本体部５９と下側部位６３とは上側から下側に向かってこの順にならんでいる。
【０１１０】
円錐台状の動節本体部５９の円形状の底面（外径が大きいほうの面）に、上側部位６１の円形状の底面が接しており、円錐台状の動節本体部５９の円形状の上面（外径が小さいほうの面）に、下側部位６３の円形状の底面が接している。
【０１１１】
カムの動節２３は、上側部位６１の上端部が、切り換え軸部材４１に一体的に設けられている。カムの動節２３の中心軸と切り換え軸部材４１の中心軸Ｃ１とはお互いが一致している。
【０１１２】
動節本体部５９に切り欠きが設けられていることで、動節本体部５９には一対の平面状部位６５、６７が形成されている。平面状部位６５と平面状部位６７とがお互いが平行になっているともに、中心軸Ｃ１と平行になっている。平面状部位６５と中心軸Ｃ１との距離の値と、平面状部位６７と中心軸Ｃ１との距離の値とはお互いが等しくなっている。また、平面状部位６５と平面状部位６７との間の距離の値は、たとえば、上側部位６１や下側部位６３の外径の値と等しくなっている。
【０１１３】
また、動節本体部５９や下側部位６３には凹部６９が設けられている。凹部６９の一対の平面状の側面７１、７３は、平面状部位６５、６７と平行になっている。平面状の側面７１と平面状部位６５との距離の値と平面状の側面７３と平面状部位６７との距離の値とはお互いが等しくなっている。
【０１１４】
凹部６９の幅寸法Ｂ１の値は、各カム従動節３１、３３、３５の外径寸法Ｄ１の値よりも大きくなっている。これにより、各カム従動節３１、３３の先端部（中心軸Ｃ１側の部位）が、凹部６９に入り込めるようになっている。
【０１１５】
凹部６９の底面（動節本体部５９の中心軸側に形成されている平面状の斜面）７５は、動節本体部５９の斜面とほぼ平行になっており、凹部６９内に入り込んだ各カム従動節３１、３３の先端が、底面７５に当接するようになっている。
【０１１６】
また、下側ケース体１１には、凹部（ガイド部）７７が設けられている。凹部７７は下側部位６３よりも外径が僅かに大きい円柱状に形成されている。凹部７７の中心軸は、カムの動節２３の中心軸と一致している。
【０１１７】
そして、カムの動節２３が各カム従動節３１、３３、３５を押すときには、カムの動節２３の下側部位６３の下端部が凹部７７に入り込み、切り換え軸部材４１とカムの動節２３とが、上側軸受け部材４３と凹部７７とで、両端支持梁の態様で支持されるようになっている。
【０１１８】
これにより、カムの動節２３が１本のカム従動節（第１のカム従動節３１もしくは第２のカム従動節３３もしくは第３のカム従動節３５）しか押さないときにおける、カムの動節２３にかかる力を無理なく受けることができる。
【０１１９】
また、ガス切り換え装置１には、特開２００６−４６３７１号公報に記載されているガス自動切替調整器と同様にして減圧機構等（図示せず）が設けられている。
【０１２０】
さらに、ガス切り換え装置１には、被操作部７がとっているポジションを保持するための被操作部ポジション保持部７９が設けられている。
【０１２１】
被操作部ポジション保持部７９について、図８〜図１０を参照しつつさらに詳しく説明する。
【０１２２】
被操作部ポジション保持部７９は、図８で示す上側ケース体９に設けられている溝８１を用いて被操作部７がとっているポジションを保持するようになっている。
【０１２３】
さらに説明すると、被操作部ポジション保持部７９は、溝８１に加えて、レバー８３とロックピン８５と弾性体（たとえばトーションバネ）８７とを備えて構成されている。
【０１２４】
レバー８３は基端部が被操作部７に支持されており、この支持されているところに設けられている回動中心軸を中心にして、被操作部７に対して、たとえば９０°の角度回動するようになっている。
【０１２５】
ロックピン８５も、被操作部７に支持されており、被操作部７の中心軸Ｃ１に接近しまた離れる方向で、被操作部７に対して僅かに移動自在になっている。
【０１２６】
トーションバネ８７は、レバー８３とロックピン８５とに係合している。そして、図１０で示す状態（レバー８３のアンロック状態）では、トーションバネ８７によってロックピン８５に荷重がかかっていないので、ロックピン８５が溝８１の外に位置しており、筐体３に対して、被操作部７を回動することができるようになっている。
【０１２７】
一方、図９で示す状態（図１０で示す状態からレバー８３を９０°回動させた状態；レバー８３のロック状態）では、トーションバネ８７の付勢力によってロックピン８５に荷重がかかる。
【０１２８】
このとき、円形状のガイド部８９にロックピン８５が当接している状態では、筐体３に対して、被操作部７を回動させることができるが、図９で示すように、ロックピン８５が溝８１内に入ると、筐体３に対して被操作部７を回動させることができないようになる。
【０１２９】
図９で示すように被操作部７がロックされている状態からレバー８３をもとに戻すと（図１０で示す状態にすると）、筐体３に対して、被操作部７を回動させることができるようになる。
【０１３０】
なお、上記説明では、溝８１が１つしか設けられていないが、溝８１を９０°ずつずらして３つ適宜の箇所に設ければ、第１のポジションと第２のポジションと第３のポジションとにおいて被操作部７をロックすることができる。
【０１３１】
また、上記説明では、溝８１を上側ケース体９に設け、レバー８３等を被操作部７に設けているが、溝８１を被操作部７に設け、レバー８３等を上側ケース体９に設けてもよい。
【０１３２】
次に、ガス切り換え装置１の動作について説明する。
【０１３３】
まず、第１のポジション状態における動作について説明する。
【０１３４】
第１のポジション状態では、被操作部７が第１のポジションをとっており、たとえば、第１のガス入口１５にガスが十分に充填されている第１のガス容器が接続されており、第２のガス入口１７にもガスが十分に充填されている第２のガス容器が接続されており、第３のガス入口１９にはガス容器が非接続になっている。
【０１３５】
被操作部７が第１のポジションをとっていることで、上下方向で見ると、第１のカム従動節３１、第２のカム従動節３３、第３のカム従動節３７のカムの動節２３に対する位置が図３で示すようになっている。
【０１３６】
図３（ｃ）の紙面に直交する方向にカムの動節２３が移動するので、カムの動節２３がどんなに移動してもカムの動節２３が第３のカム従動節３５に接触することがなく、第３のガス入口開閉部２９は常に閉じられ遮断されている。
【０１３７】
第１のポジション状態では、まずは、ガス流路１３内が大気圧になっている。これにより、圧縮コイルバネ４５で付勢されてカムの動節２３が、図３（ａ）（ｂ）で示す位置よりも下側に移動して、図４で示すように、カムの動節２３の動節本体部５９の斜面が第１のカム従動節３１に接触して、カムの動節２３が第１のカム従動節３１を押す。これにより、第１のガス入口開閉部２５が開いて第１のガス入口開閉部２５からガス流路１３にガスが供給されてガス流路１３内のガス圧が所定の圧になり、ガス流路１３内のガスがガス出口２１からガス器具に供給される。
【０１３８】
また、たとえば、ガス出口２１からガス器具にガスが供給されないときには、ガス流路１３内のガス圧が所定の圧を超えようとするが、ガス流路１３内のガス圧力によってカムの動節２３が図４で示す状態よりも上側に移動し、カムの動節２３による第１のカム従動節３１への押しが無くなり、第１のガス入口開閉部２５が閉じる。
【０１３９】
続いて、第１のポジション状態で第１のガス容器内のガスが残り少なくなると、カムの動節２３が下側に移動して第１のカム従動節３１を押して第１のガス入口開閉部２５が開いても、ガス流路１３のガスの圧力が所定の値まで上がらないので、カムの動節２３がさらに下側に移動する。
【０１４０】
すると、圧縮コイルバネ４５で付勢されてカムの動節２３が、図４（ａ）で示す位置よりもさらに下側に移動して、図５で示すように、カムの動節２３の動節本体部５９の凹部６９の底面（斜面）７５が第２のカム従動節３３に接触して、カムの動節２３が第２のカム従動節３３を押す。これにより、第２のガス入口開閉部２７が開いて第２のガス入口開閉部２７からガス流路１３にガスが供給されてガス流路１３内のガス圧が所定の圧になり、ガス流路１３内のガスがガス出口２１からガス器具に供給される。
【０１４１】
この場合も、たとえば、ガス出口２１からガス器具にガスが供給されないときには、ガス流路１３内のガス圧が所定の圧を超えようとするが、ガス流路１３内のガス圧力によってカムの動節２３が図５で示す状態よりも上側に移動し、カムの動節２３による第２のカム従動節３３への押しが無くなり、第２のガス入口開閉部２７が閉じる。
【０１４２】
このようにして、第１のポジション状態では、第１のガス容器内のガスの残量が僅かになったときに、ガスの供給元が、第１のガス容器内のガス容器から第２のガス容器に自動的に切り換わる。
【０１４３】
次に、第２のポジション状態における動作について説明する。第２のポジション状態では、第１のポジション状態と同様な動作がされる。
【０１４４】
すなわち、第２のポジション状態では、被操作部７が第２のポジションをとっており、たとえば、第２のガス入口１７にもガスが十分に充填されている第２のガス容器が接続されており、第１のガス入口１５にガスが十分に充填されている第１のガス容器が接続されており、第３のガス入口１９にはガス容器が非接続になっている。
【０１４５】
被操作部７が第２のポジションをとっていることで、上下方向で見ると、第１のカム従動節３１、第２のカム従動節３３、第２のカム従動節３５のカムの動節２３に対する位置が図７で示すようになっている。
【０１４６】
図７の紙面に直交する方向にカムの動節２３が移動するので、カムの動節２３がどんなに移動してもカムの動節２３が第３のカム従動節３５に接触することがなく、第３のガス入口開閉部２９は常に閉じられ遮断されている。
【０１４７】
第２のポジション状態では、まずは、ガス流路１３内が大気圧になっている。これにより、圧縮コイルバネ４５で付勢されてカムの動節２３が、下側に移動して、カムの動節２３の動節本体部５９の斜面が第２のカム従動節３３に接触して、カムの動節２３が第２のカム従動節３３を押す。これにより、第２のガス入口開閉部２７が開いて第２のガス入口開閉部２７からガス流路１３にガスが供給されてガス流路１３内のガス圧が所定の圧になり、ガス流路１３内のガスがガス出口２１からガス器具に供給される。
【０１４８】
また、たとえば、ガス出口２１からガス器具にガスが供給されないときには、ガス流路１３内のガス圧が所定の圧を超えようとするが、ガス流路１３内のガス圧力によってカムの動節２３が上側に移動し、カムの動節２３による第２のカム従動節３３への押しが無くなり、第２のガス入口開閉部２７が閉じる。
【０１４９】
続いて、第２のポジション状態で第２のガス容器内のガスが残り少なくなると、カムの動節２３が下側に移動して第２のカム従動節３３を押して第２のガス入口開閉部２７が開いても、ガス流路１３のガスの圧力が所定の値まで上がらないので、カムの動節２３がさらに下側に移動する。
【０１５０】
すると、圧縮コイルバネ４５で付勢されてカムの動節２３が、さらに下側に移動して、カムの動節２３の動節本体部５９の凹部６９の底面（斜面）７５が第１のカム従動節３１に接触して、カムの動節２３が第１のカム従動節３１を押す。これにより、第１のガス入口開閉部２５が開いて第１のガス入口開閉部２５からガス流路１３にガスが供給されてガス流路１３内のガス圧が所定の圧になり、ガス流路１３内のガスがガス出口２１からガス器具に供給される。
【０１５１】
この場合も、たとえば、ガス出口２１からガス器具にガスが供給されないときには、ガス流路１３内のガス圧が所定の圧を超えようとするが、ガス流路１３内のガス圧力によってカムの動節２３が上側に移動し、カムの動節２３による第１のカム従動節３１への押しが無くなり、第１のガス入口開閉部２５が閉じる。
【０１５２】
このようにして、第２のポジション状態では、第２のガス容器内のガスの残量が僅かになったときに、ガスの供給元が、第２のガス容器内のガス容器から第１のガス容器に自動的に切り換わる。
【０１５３】
次に、第３のポジション状態における動作について説明する。
【０１５４】
第３のポジション状態では、被操作部７が第３のポジションをとっており、たとえば、第３のガス入口１９にはガスが十分に充填されている第３のガス容器が接続されているが、第１のガス入口１５と第２のガス入口１７とには、ガス容器が接続されていない。
【０１５５】
被操作部７が第３のポジションをとっていることで、上下方向で見ると、第１のカム従動節３１、第２のカム従動節３３、第３のカム従動節３５のカムの動節２３に対する位置が図６で示すようになっている。
【０１５６】
図６の紙面に直交する方向にカムの動節２３が移動するので、カムの動節２３がどんなに移動してもカムの動節２３が第１のカム従動節３１と第２のカム従動節３３に接触することがなく、第１のガス入口開閉部２５と第２のガス入口開閉部２７とは常に閉じられ遮断されている。
【０１５７】
第３のポジション状態では、まずは、ガス流路１３内が大気圧になっている。これにより、圧縮コイルバネ４５で付勢されてカムの動節２３が、下側に移動して、カムの動節２３の動節本体部５９の斜面が第３のカム従動節３５に接触して、カムの動節２３が第３のカム従動節３５を押す。これにより、第３のガス入口開閉部２９が開いて第３のガス入口開閉部２９からガス流路１３にガスが供給されてガス流路１３内のガス圧が所定の圧になり、ガス流路１３内のガスがガス出口２１からガス器具に供給される。
【０１５８】
また、たとえば、ガス出口２１からガス器具にガスが供給されないときには、ガス流路１３内のガス圧が所定の圧を超えようとするが、ガス流路１３内のガス圧力によってカムの動節２３が上側に移動し、カムの動節２３による第３のカム従動節３５への押しが無くなり、第３のガス入口開閉部２９が閉じる。
【０１５９】
ガス切り換え装置１によれば、被操作部７が第１のポジションや第２のポジションをとっているときには、第１のガス容器のガス圧および第２のガス容器のガス圧にかかわらず、第３のガス入口１９が遮断されるように構成されており、被操作部７が第３のポジションをとっているときには、第１のガス入口１５と第２のガス入口１７とが遮断されるように構成されているので、ガス容器が接続されておらず開放されているガス入口からのガス漏れの発生を無くすことができる。
【０１６０】
さらに説明すると、従来のガス切り換え装置３０７では、一方のガス入口３０１にのみガス容器が接続されており、他方のガス入口３０３にガス容器が接続されておらず他方のガス入口３０３に止め栓が設置されていないと、一方のガス入口３０１に接続されているガス容器からのガスの供給不足が発生すると、他方のガス入口３０３からガスが漏れるおそれがある。
【０１６１】
しかし、ガス切り換え装置１によれば、被操作部７を第３のポジションにし第３のガス入口１９にのみ第３のガス容器を接続しておけば、他のガス入口１５、１７にガス容器が接続されておらず止め栓が設置されていない状態で第３のガス容器からのガスの供給不足が発生しても、他方のガス入口１５、１７からガスが漏れることがない。
【０１６２】
また、ガス切り換え装置１によれば、被操作部７を第１のポジションもしくは第２のポジションにしておき、第１のガス入口１５に第１のガス容器を接続し第２のガス入口１７に第２のガス容器を接続しておけば、ガス流路１３へのガスの供給元を、第１のガス容器から第２のガス容器へ、もしくは、第２のガス容器から第１のガス容器へ自動的に切り換えることができる。
【０１６３】
また、ガス切り換え装置１によれば、カム装置を用いたことで、ガス容器が接続されていないガス入口からのガス漏れを確実に防止すことができる。
【０１６４】
すなわち、被操作部７が第１のポジションをとっているときや第２のポジションをとっているときには、カムの動節２３の上下方向でのポジションの変化にかかわらず、カムの動節２３と第３のカム従動節３５とがお互いに非接触状態になっており、第３のガス入口１９が遮断されるように構成されているので、第１のガス容器のガス圧および第２のガス容器のガス圧の変化にかかわらず、第３のガス入口１９を確実に遮断することができる。
【０１６５】
また、被操作部７が第３のポジションをとっているときには、カムの動節２３の上下方向にポジションの変化にかかわらず、カムの動節２３と、第１のカム従動節３１および第２のカム従動節３３とが、お互いに非接触状態になっており、第１のガス入口１５と第２のガス入口１７とが遮断されるように構成されているので、第３のガス容器のガス圧の変化にかかわらず、第１のガス入口１５と第２のガス入口１７とを確実に遮断することができる。
【０１６６】
また、ガス切り換え装置１によれば、被操作部７が第１のポジションもしくは第２のポジションをとっているときには、ダイヤフラム３７の変形によるカムの動節２３の上下方向での移動によって、第１のカム従動節３１と第２のカム従動節３３とが、カムの動節２３に接触しつつ被操作部７の回動中心軸Ｃ１と交差する方向に移動するように構成されており、第３のカム従動節３５は、ダイヤフラム３７の変形によるカムの動節２３の上下方向での移動によってはカムの動節２３に接触せず移動をしないように構成されているので、第１のガス入口１５や第２のガス入口１７からのガス流路１３へのガスの供給を的確に行うことができるとともに、第３のガス入口１９を確実に遮断することができる。
【０１６７】
また、ガス切り換え装置１によれば、被操作部７が第３のポジションをとっているときには、ダイヤフラム３７の変形によるカムの動節２３の上下方向でも移動によって、第３のカム従動節３５が、カムの動節２３に接触しつつ被操作部７の回動中心軸Ｃ１と交差する方向に移動するように構成されており、第１のカム従動節３１や第２のカム従動節３３は、ダイヤフラム３７の変形によるカムの動節２３の移動によってはカムの動節２３に接触せず移動をしないように構成されているので、第３のガス入口１９からのガス流路１３へのガスの供給を的確に行うことができるとともに、第１のガス入口１５や第２のガス入口１７を確実に遮断することができる。
【０１６８】
また、ガス切り換え装置１によれば、被操作部７の回動中心軸Ｃ１の延伸方向で見たときに、図２で示すように、第２のガス入口１７と第２のカム従動節３３とが、被操作部７の回動中心軸Ｃ１に対して、第１のガス入口１５や第１のカム従動節３１とは点対称のところに位置しており、第３のガス入口１９と第３のカム従動節３５とは、被操作部７の回動中心軸Ｃ１まわりで第１のガス入口１５や第１のカム従動節３１を９０°回動したところに位置しているので、各ガス入口１５、１７、１９に接続される配管部品を概ね１つの平面に配置できるとともに、各ガス入口１５、１７、１９に接続される配管部品同士の干渉を無くすことができる。
【０１６９】
また、ガス切り換え装置１によれば、被操作部７が第１のポジションをとっているとき、ガス流路１３内のガス圧が下がり第１のカム従動節３１がカムの動節２３に押されて移動することで、第１のガス入口１５が開くように構成されており、また、第１のガス入口１５から供給されるガスの圧力が下がりカムの動節２３のさらなる移動により第２のカム従動節３３がカムの動節２３に押されて移動することで、第２のガス入口１７が開くように構成されているので、使用側ガス容器の残量がほぼ無くなり、使用側ガス容器から供給されるガスの圧力が下がった場合、ガスの供給元を、使用側ガス容器から予備用ガス容器に自動的にしかも確実に切り換えることができる。
【０１７０】
また、ガス切り換え装置１によれば、被操作部ポジション保持部７９が設けられているので、被操作部７がとっているポジションが不用意に変更されることが防止される。
【０１７１】
さらに、第１のガス入口１５に第１のガス容器（ガスが十分に充填されているガス容器）が接続されており、第２のガス入口１７に第１のガス容器（ガスが十分に充填されているガス容器）が接続されており、同時に、第３のガス入口１９に第１のガス容器（ガスが十分に充填されているガス容器）が接続されている態様で、ガス切り換え装置１が使用されてもよい。この場合、被操作部７のポジションを変えるだけで、上述した各態様での使用が可能になる。
【０１７２】
なお、上述したガス切り換え装置１は、ガス流路が設けられている筐体と、前記筐体に設けられ、前記ガス流路でのガスの流れ方を切り換えるガス切り換え部と、前記ガス流路と通じるように前記筐体に設けられている複数のガス入口と、前記筐体に設けられ、前記複数のガス入口の数に応じた複数の（たとえば同数の）ポジションのうちのいずれかのポジションをとる被操作部とを有し、前記被操作部が前記複数のポジションのうちの所定の１のポジションをとっているときには、前記ガス切り換え部によって、前記複数のガス入口のうちの所定の１つのガス入口を除く他の複数のガス入口が遮断され、前記被操作部が前記所定の１のポジション以外の複数のポジションのうちのいずれかのポジションをとっているときには、前記所定の１つのガス入口が遮断されるように構成されているガス切り換装置の例である。
【符号の説明】
【０１７３】
１  ガス切り換え装置
３  筐体
５  ガス切り換え部
７  被操作部
１３  ガス流路
１５  第１のガス入口
１７  第２のガス入口
１９  第３のガス入口
２１  ガス出口
２３  カムの動節
２５  第１のガス入口開閉部
２７  第２のガス入口開閉部
２９  第３のガス入口開閉部
３１  第１のカム従動節
３３  第２のカム従動節
３５  第３のカム従動節
３７  ダイヤフラム
７９  被操作部ポジション保持部
Ｃ１  被操作部の回動中心軸
【図１】
2020026824.tif 000003
【図２】
2020026824.tif 000004
【図３】
2020026824.tif 000005
【図４】
2020026824.tif 000006
【図５】
2020026824.tif 000007
【図６】
2020026824.tif 000008
【図７】
2020026824.tif 000009
【図８】
2020026824.tif 000010
【図９】
2020026824.tif 000011
【図１０】
2020026824.tif 000012
【図１１】
2020026824.tif 000013